(57)【要約】【解決手段】自身の上面に設けた接着剤２で接着する接着基板１と、該接着基板の下面に設けた略紐状の支持具３でケーブルＰを支持する接着式ケーブル支持具を設ける。接着基板１の下面に、複数個の支持具３を設け、一つの接着基板１下面に複数種類のケーブルＰを離して支持する。接着基板１は、接着基板１の下面に設けた支持具３ごとに分割自在に設けられている。【効果】接着式ケーブル支持具の取付け作業を簡略化し、マンション工事等におけるケーブル先行工事を合理化することが可能になる。【選択図】  図１
2004289960.tif 000002
【特許請求の範囲】
【請求項１】
自身の上面に配した接着剤で接着する接着基板と、該接着基板の下面に設けた支持具でケーブルを支持する接着式ケーブル支持具において、接着基板の下面に複数個の支持具を離して設け、一個の接着基板下面に複数種類のケーブルを離して支持することを特徴とする接着式ケーブル支持具。
【請求項２】
前記接着基板は、接着基板の下面に設けた支持具ごとに分割自在に設けられた請求項１記載の接着式ケーブル支持具。
【請求項３】
前記接着基板は、接着基板の下面に設けた支持具ごとに着脱自在に設けられた請求項１記載の接着式ケーブル支持具。
【発明の詳細な説明】
【０００１】
【発明の属する技術分野】
本発明は、マンション建築等において、ケーブル先行工事などで多く使用される接着式ケーブル支持具に関する。
【０００２】
【従来の技術】
マンション建築等におけるケーブル先行工事には、床版下面に装着して配線ケーブルを支持するケーブル支持具が使用されている。このケーブル支持具には、スラブ床版に埋設する埋設式のケーブル支持具と、スラブ床版に接着する接着式のケーブル支持具などがある。近年、マンション工事等におけるケーブル先行工事では、配線ルート変更や追加等に対応可能な接着式のケーブル支持具がより多く使用されている。
【０００３】
この種の接着式ケーブル支持具として、特許文献１に記載された配線コード用吊り具が提案されている。この吊り具によると、略円盤状の基体上面に接着剤を付着し、この基体の下面にケーブルを保持する紐状の吊下げ部材を設けたもので略円盤状の基体を接着剤で固定し、この基体に紐状の吊下げ部材を介してケーブル等を支持するものである。
【０００４】
接着式ケーブル支持具には、前記特許文献１のように予め接着剤を付着し、あるいは、両面テープなどを付着しておくタイプと、支持具を接着する際に、接着剤をあと付けで塗布するタイプとがある。予め接着剤等を付着しておくタイプは使い勝手が良い反面、接着力が比較的弱いといった欠点がある。一方、接着剤をあと付けするタイプでは、装着時に手間を要する欠点がある反面、接着力を強くすることが可能になっている。いずれのタイプの接着式ケーブル支持具においても各支持具ごとにそれぞれ接着固定して使用するものである。
【０００５】
【特許文献１】
実開平５−８４１２７号公報
【０００６】
【発明が解決しようとする課題】
マンション建築等の施工では、この種のケーブル支持具に、主に電圧１００Ｖや２００Ｖの低圧屋内配線（ＶＶＦケーブル）や、弱電流電線（ＴＶ共聴、ＬＡＮケーブル）などが支持される。この場合、内線規程により低圧屋内配線と弱電流電線とが直接接触しないように離して支持しなければならない。そのため、これらの配線を併設する場合には、床版下面にケーブル支持具を２個並べて接着し、それぞれの支持具にケーブルを支持する作業になる。
【０００７】
ところが、一般的なマンション建築の一部屋当りに使用されるケーブル支持具の数量は、低圧屋内配線のみでも４０〜５０個程度といわれており、低圧屋内配線と弱電流電線とを併設する場合は、この倍のケーブル支持具が必要になる。このため、接着式ケーブル支持具を床版下面に接着する作業が極めて煩雑な作業になっている。しかも、マンション建築では次第に高層化し、住居戸数が増大する傾向があり、一戸当りの配線作業が遅延すると、建築工事全体に影響を与える虞もあることから、取付け作業の簡略化や合理化が望まれていた。
【０００８】
そこで、本発明は上述の課題を解消すべく創出されたもので、接着式ケーブル支持具の取付け作業を簡略化し、マンション工事等におけるケーブル先行工事を合理化することが可能な接着式ケーブル支持具の提供を目的とするものである。
【０００９】
【課題を解決するための手段】
上述の目的を達成すべく本発明の第１の手段は、自身の上面に設けた接着剤２で接着する接着基板１と、該接着基板の下面に設けた略紐状の支持具３でケーブルＰを支持する接着式ケーブル支持具において、接着基板１の下面に、複数個の支持具３を設け、一つの接着基板１下面に複数種類のケーブルＰを離して支持するようにしたことにある。
【００１０】
第２の手段において、接着基板１は、接着基板１の下面に設けた支持具３ごとに分割自在に設けられている。
【００１１】
第３の手段は、接着基板１を、接着基板１の下面に設けた支持具３ごとに着脱自在に設けている。
【００１２】
本発明によると、接着基板１の下面に設けた支持具３ごとに異なった種類のケーブルＰを離して支持することが可能になるので、例えば、低圧屋内配線と弱電流電線とを併設する場合などのように、多数の支持具が必要になるケーブル先行工事において、ケーブル支持具の取付け作業を簡略化することができる。
【００１３】
【発明の実施の形態】
以下、図面を参照して、本発明の実施の形態を詳細に説明する。本発明ケーブル支持具は、例えばスラブ床版の下面等に接着剤を利用して接着固定する支持具であり、その基本構成は、接着基板１、接着剤２、支持具３からなる。
【００１４】
接着基板１は、自身の上面に設けた接着剤２を床版等の下面等に接着し、自身の下面に設けた支持具３にケーブルＰを結束支持する。そして、この支持具３は複数個設けられており、一つの接着基板１に複数種類のケーブルＰを別々に支持できるようにしている。接着剤２は、接着基板１の上面に付着するもので、接着基板１に予め付着しておく場合と、接着する際に塗布する場合とがある。
【００１５】
図１乃至図４に示す接着基板１は、接着する際に接着剤２を塗布するタイプで二個又は多数の支持具３を設けた接着基板１を示している。図１の接着基板１には、予め切離部１Ａが設けられており、必要に応じてこの切離部１Ａから二つに分割できるものである。図示の切離部１Ａは、接着基板１の上面を切り欠いて薄肉状に形成したものであるが、接着基板１が分割可能な切離部１Ａであればよく、その構成は任意に変更することができる。図２及び図３の接着基板１には、切離部１Ａを設けずに、支持具３を常に２個使用するもので、特に２種類のケーブルＰを併設する場合に、専用に使用できるように形成している。例えば、後述する支持具３を用いて、一方の接着基板１下面に低圧屋内配線で使用するＶＶＦケーブル等を支持し、他方の接着基板１下面に弱電流電線で使用するＴＶ共聴用のケーブルや、ＬＡＮケーブルなどを支持する。また、図４に示す接着基板１は、４個以上の支持具３を設けた接着基板１を示し、各支持具３ごとに接着基板１を分離する切離部１Ａを設けている。
【００１６】
図５及び図６に示す接着基板１は、接着基板１に予め接着剤２を付着しておくタイプで、下面に２個の支持具３を設けた接着基板１を示している。接着基板１の材質は、たとえばポリプロピレン、硬質塩ビなどの合成樹脂材が好適であるがこの材質も任意に変更することができる。
【００１７】
図７及び図８に示す接着基板１は、接着基板１の下面に設けた支持具３ごとに接着基板１が着脱自在になる。すなわち、支持具３ごとに独立した接着基板１を設け、この接着基板１の側面に、隣接する他の接着基板１と連結可能な連結部１Ｂを設けたものである。図示の連結部１Ｂは、接着基板１側面の長手方向に沿った嵌合凸部１Ｂａと、該嵌合凸部にスライド嵌合する嵌合凹部１Ｂｂとを、接着基板１側面の対向する側面相互に設けている（図８参照）。図示例の連結部１Ｂは接着基板１相互を着脱する一例として示したに過ぎず、図示例に限定されるものではなく、接着基板１相互を着脱できるようにする従来周知の連結手段を連結部１Ｂとして任意に選択することができる。
【００１８】
接着剤２は、接着基板１の上面に付着するもので、前述の如く接着基板１に予め付着しておく場合と、接着する際にあと付けする場合がある。接着剤２をあと付けする場合は、床版などの接着面の材質に適応した接着剤２を選択して接着基板１上面に塗布する。この場合、接着基板１の接着強度を高めるために、接着基板１上面に接着凹部１Ｃを形成すると効果的である（図１、図２、図４参照）。図示の接着凹部１Ｃは、略すり鉢形状の凹みを接着基板１の上面に多数形成したものである。この接着凹部１Ｃにより、接着基板１と接着剤２との接着面積が増大し、より強固な接着が可能になる。接着凹部１Ｃの形状は図示例に限られるものではなく他の形状で凹凸を形成することも可能である。
【００１９】
一方、予め付着しておく場合は、接着基板１に付着した接着剤２の表面に剥離紙４を貼り付ける（図５参照）。あるいは、剥離紙４付きの両面接着テープを接着基板１上面に接着するなどの手段がある。
【００２０】
支持具３は、ケーブルＰを結束支持する紐状を成し、針金にビニル樹脂材を被覆したバインド線やナイロンバンドの使用が好適である。ケーブルＰを結束し易くするため、このバインド線２本を対にして１個の支持具３としている。この支持具３は、１個の接着基板１下面に複数個離して設けるもので、主に電圧１００Ｖや２００Ｖの低圧屋内配線で使用するＶＶＦケーブルや、弱電流電線で使用するＴＶ共聴用のケーブルや、ＬＡＮケーブルなどが接触しないように支持できるようにしている。図示の支持具３は接着基板１の下面に設けた連結部５に挿通孔５Ａを開穿し、この挿通孔５Ａに１本のバインド線を挿入すると共に、バインド線を中央部から屈曲し、接着基板１下方でケーブルＰを結束支持するものである。更に、支持具３を挿通する挿通孔５Ａは、連結部５を前後左右に貫通する１対の挿通孔５Ａを形成し、これらの挿通孔５Ａを選択することで、ケーブルＰの配線方向を変更できるようにしている。尚、支持具３の材質や形状、及び接着基板１への連結手段の変更は自由でありケーブルＰを支持する任意の支持具を選択できる。
【００２１】
また、本発明支持具の使用場所は、例えば、スラブ下面、ＰＣ工法の床版下面、デッキプレート下面、ＡＬＣ下面などや壁面、あるいは、木材、間柱、その他あらゆる材質に接着することができる。
【００２２】
【発明の効果】
本発明は、上述の如く構成したことにより、当初の目的を達成する。
【００２３】
すなわち、接着基板１の下面に、複数対の支持具３を設け、一つの接着基板１下面に複数種類のケーブルＰを離して支持するようにしたことにより、例えば、低圧屋内配線と弱電流電線とを併設する場合などのように、多数の支持具が必要になるケーブル先行工事において、接着式ケーブル支持具の取付け作業を簡略化することができる。この結果、マンション工事等におけるケーブル先行工事を合理化することができる。
【００２４】
また、接着基板１は、接着基板１の下面に設けた支持具３ごとに分割自在に設けられているので、工事内容に応じた使い方が可能になり、低圧屋内配線と弱電流電線とを併設するマンション工事等に限らず、その他の建築工事等に使用することも可能である。
【００２５】
さらに、接着基板１を、接着基板１の下面に設けた支持具３ごとに着脱自在に設けたことにより、支持具３を１個使用する接着基板１から、多数の支持具３を使用する接着基板１に至るまで、使用の態様を自由に変化させることが可能になるので、更に汎用性に富むものである。
【００２６】
このように本発明によると、接着式ケーブル支持具の取付け作業を簡略化し、マンション工事等におけるケーブル先行工事を合理化することが可能になるなどといった有益な種々の効果を奏するものである。
【図面の簡単な説明】
【図１】本発明の一実施例を示す斜視図。
【図２】本発明の他の実施例を示す斜視図。
【図３】本発明の他の実施例を示す側面図。
【図４】本発明の他の実施例を示す一部省略斜視図。
【図５】本発明の他の実施例を示す斜視図。
【図６】本発明の他の実施例を示す側面図。
【図７】本発明の他の実施例を示す斜視図。
【図８】本発明の他の実施例を示す側面図。
【符号の説明】
Ｐ  ケーブル
１  接着基板        １Ａ  切離部
１Ｂ  連結部
１Ｂａ  嵌合凸部
１Ｂｂ  嵌合凹部
１Ｃ  接着凹部
２  接着剤
３  支持具
４  剥離紙
５  連結部          ５Ａ  挿通孔
【図１】
2004289960.tif 000003
【図２】
2004289960.tif 000004
【図３】
2004289960.tif 000005
【図４】
2004289960.tif 000006
【図５】
2004289960.tif 000007
【図６】
2004289960.tif 000008
【図７】
2004289960.tif 000009
【図８】
2004289960.tif 000010